(57)【要約】      （修正有）【課題】靴が雨や雨水の跳ね返りで濡れるのを防止できる靴の濡れ防止装置を提供する。【解決手段】靴を履いた脚部を入れる空洞１１を有する座体１及び、座体内でロール状に巻かれた熱可塑性樹脂性の円筒状の袋２、袋の開口を座体の空洞の開口に引き出してセットする牽引構造３、開口下で脚部を覆う袋を結索する紐結び構造４及び脚部を覆う袋を空洞底端で封止し、切断する熱シール構造５で構成する靴の濡れ防止装置であって、靴を履いた脚部を座体の空洞内にセットされた袋に入れると、紐結び構造により袋の上部で紐により結索され、次いで、つま先で袋が封止されると共に切断され、靴を履いたまま防水性の袋で覆うことができる。【選択図】図２
0003192716.tif 000002
【実用新案登録請求の範囲】
【請求項１】
座体、袋、牽引構造、紐結び構造及び熱シール構造と制御ユニットから構成し、
上記座体は、靴を履いた脚部を入れる開口と該開口に連なってその底端に開口を有するＬ字型の空洞を設け、
上記袋は、上記開口の径に相当する径を有する、円筒状の熱可塑性樹脂性の袋であって、ロール状に卷回して伝動機構により繰り出されるようにして上記L字型空洞の底端に配置し、
上記牽引構造は、上記開口に相当する環状であって、該袋の開口を把持して上記座体底端の開口から、脚部を入れる開口まで袋の開口を牽引して配置する機構とし、
上記紐結び構造は、上記座体の開口縁に配置されてロール状に巻回された紐を収容すると共に該紐のより上記牽引構造で牽引された袋上端を巻回して結索し、
上記熱シール構造は、上記座体底端の開口に配置されて、袋を挟持して熱封止すると共に切断し、
上記制御ユニットは、上記伝動機構、牽引構造、紐結び構造、熱シール構造に接続されて、座体から突出して設けられたスイッチボタンによって起動して、
上記伝動機構、及び牽引構造を起動して一定長の袋を空洞に沿って下から上に向かって引っ張り、座体の空洞の開口縁に止めてスタンバイし、
脚部を上記座体の開口から空洞内に入れて脚部を袋で覆った状態で、上記紐結び構造、及び熱シール構造を起動させて、脚部を覆う袋上端を結索すると共に袋の底端を封止、切断する、ことを特徴とする靴の濡れ防止装置。 
【請求項２】
前記紐結び構造の紐は、プラスティックの表皮を被覆した金属コードであることを特徴とする請求項１記載の靴の濡れ防止装置。
【請求項３】
前記熱シール構造は、上下移動するホットメルト部品及び該ホットメルト部品と対応する抵触サポート部品であることを特徴とする請求項１記載の靴の濡れ防止装置。
【考案の詳細な説明】
【技術分野】
【０００１】
本考案は、靴の濡れ防止装置の構造に関し、特に、靴及び一部の脛を覆うことで、靴が雨で濡れること及び雨水が跳ね返って濡れるのを防止できる靴の濡れ防止装置の構造に関する。
【背景技術】
【０００２】
一般的に雨の日には傘を差す、或いは雨合羽を着て体が濡れないようにできるが、足に履いている靴が雨で濡れる、或いは地面の水溜りを踏んで水が跳ね返るのを防止することはできない。雨靴を履くこともできるが、営業マン或いは重要なイベントに出席する場合に、正装の洋服には雨靴は真に似合わない。よって、ビシッとした洋服を着た方が雨の日に靴とズボンの裾が濡れるのを見かけることがあり、雨の日はサラリーマンや企業界の方々にとって大変面倒な日であることを鑑みて、雨の時に靴を覆い、靴が雨で濡れること及び雨水が跳ね返って濡れるのを防止できる靴の濡れ防止装置を案出した。
【先行技術文献】
【特許文献】
【０００３】
【特許文献１】特開２０１２−１４７８１７号公報
【特許文献２】登録実用３１１０８３８号公報
【考案の概要】
【考案が解決しようとする課題】
【０００４】
前記公知構造の欠点を解決するため、本考案は靴及び一部の脛を覆うことで、靴が雨で濡れること及び雨水が跳ね返って濡れるのを防止できる靴の濡れ防止装置を提供することを主な課題とする。
【課題を解決するための手段】
【０００５】
前記課題を解決するために、本考案は靴の濡れ防止装置の構造を提供するものである。それに含まれるのは空洞を具有する座体及び、座体内でロール状に巻かれた袋、牽引構造、紐結び構造及び熱シール構造である。雨の日に脚部を座体の空洞に入れると、牽引構造を介し、一部の袋が空洞に沿って下から上に脚部を覆う。更に紐結び構造を介し、該袋の上端を縛り、熱シール構造を介し、該袋の底端を密封して切断することで、靴及び一部の脛が覆われるため、靴が雨で濡れる及び雨水が跳ね返って濡れるのを防止できる目的に達する。
【０００６】
前記の靴の濡れ防止装置の牽引構造は座体の空洞の内側に設置し、該空洞に沿って上下移動する。
【０００７】
前記の靴の濡れ防止装置の熱シール構造に、上下移動できるホットメルト部品及び該ホットメルト部品と対応する抵触サポート部品を設ける。
【考案の効果】
【０００８】
本考案の構造により、ユーザーは雨の日に靴及び一部の脛が覆われるため、靴が雨で濡れること及び雨水が跳ね返って濡れるのを防止できる目的に達する。
【図面の簡単な説明】
【０００９】
【図１】本考案の立体図である。
【図２】本考案の構造図である。
【図３】本考案の第一動作状態図である。
【図４】本考案の第二動作状態図である。
【図５】本考案の第三動作状態図である。
【図６】本考案の被覆状態図である。
【考案を実施するための形態】
【００１０】
以下、本考案の構造と特徴および効果を、最良実施例と図面を参照しながら詳細に説明する。
【実施例】
【００１１】
図１及び図２に示すのは本考案の立体図及び構造図である。図に示すように、本考案に含まれるのは一つの座体１及び座体１内にロール状に巻かれた袋２、牽引構造３、紐結び構造４及び熱シール構造５と一つの制御ユニット６である。
該座体１に一つの概ねＬ字型の空洞１１を設け、該ロール状の袋２は該空洞１１の底端の片側に設け、それに制御ユニット６と接続する一つの伝動機構２１を設ける。該牽引構造３は座体１の空洞１１の内側に設け、且つ制御ユニット６と接続し、制御ユニット６の駆動を介することで、空洞１１に沿って上下に移動することができる。
該紐結び構造４は、座体１の空洞１１の開口縁に設ける。それに含まれるのはロール状に巻かれた紐４１(プラスティックの表皮を被覆した金属コード)であり、該紐４１を紐結び構造４に通すことで、制御ユニット６の駆動を介し、紐４１を引っ張り出してから脛の回りを回す及び縛るなどの動作を行う。
該熱シール構造５は、座体１の空洞１１の底端に設け、制御ユニット６と接続する。それに上下移動するホットメルト部品５１及び該ホットメルト部品５１と対応する抵触サポート部品５２を設ける。制御ユニット６の駆動により、ホットメルト部品５１を加熱し、且つ下向きに抵触サポート部品５２と接触して熱で密封する動きを構成する。
該制御ユニット６は一つのスイッチボタン６１を接続し、該スイッチボタン６１は座体１の適切な位置(本実施例では座体１の表面に設ける)に突出するように設置し、前記の牽引構造３、紐結び構造４及び熱シール構造５の関連動作を起動する。
【００１２】
前記部品の組み合わせにより、靴の濡れ防止装置Ａを構成する。使用する際には、牽引構造３によって一定の長さの袋２を空洞１１に沿って下から上に向かって引っ張り、座体１の空洞１１の開口縁に止め、袋２を開いた状態でスタンバイする。雨の日に靴を覆う必要がある際に、ユーザーが脚部を座体１の空洞１１内に入れ、袋１で脚部を覆うようにしてからスイッチボタン６１を押して起動させる。制御ユニット６が紐結び構造４を駆動し、該紐結び構造４の紐４１により、袋２の上端が縛られる。更に熱シール構造５により該袋２の底端を熱で密封し、袋を切断する。よって靴及び一部の脛を覆うことができ、靴が雨で濡れる及び雨水が跳ね返って濡れるのを防止できる目的に達する。
【００１３】
図３に示すのは本考案の第一動作状態図である。図に示すように、本考案は通常の場合、該牽引構造３は、座体１空洞１１の底端に位置し、且つ該熱シール構造５のホットメルト部品５１は上に位置することで一つの開口を形成する。使用する際に袋２の一部を引っ張り出し、それを該牽引構造３に設置する。そしてスイッチボタン６１を押して制御ユニット６が牽引構造３を起動すると、袋２が空洞１１に沿って下から上に向かって引っ張るため、牽引構造３が空洞１１の開口縁に留まり、該袋２の開口が空洞１１の開口縁でスタンバイできる。雨の日にユーザーは脚部を座体１の空洞１１内に入れるとそのまま足が袋２の中に入ることになる。
【００１４】
図４に示すのは本考案の第二動作状態図である。図に示すように、本考案の牽引構造３が一部の袋２を空洞１１に沿って下から上に引っ張って、空洞１１の開口縁に留まってスタンバイする。雨の日にユーザーは脚部を座体１の空洞１１内に入れるとそのまま足が袋２の中に入ることになる。更にスイッチボタン６１を押して起動すると、制御ユニット６の駆動により紐結び構造４が紐４１を引っ張り出し、袋２の上端のやや下よりの位置で一回り回すと、起点に戻って結び目を作り(プラスティック包装機のように)、袋２の上端を縛る。
【００１５】
図５に示すのは本考案の第三動作状態図である。本考案は紐４１で袋２の上端２を縛った後、制御ユニット６が熱シール構造５を駆動することで、ホットメルト部品５１が加熱しながら下向きに移動する。下方に設ける抵触サポート部品５２と接触し、ホットメルト部品５１の熱によって袋２の底端を密封して切断する。よって、袋２の上方は紐４１で縛られ、下方は密封されることで、袋２全体がしっかりとユーザーの靴及び一部の脛を覆うことができる。被覆の動作が完了すると、ユーザーは足を座体１の空洞１１から出し、該牽引構造３は、直ちに空洞１１の開口縁から空洞１１に沿って下向きに移動し、再び座体１の空洞１１の底端に戻り、次回の操作を待つ。
【００１６】
図６に示すのは本考案の被覆状態図である。図３、図４及び図５も合わせて参照し、図に示すように、本考案は被覆完成後、ユーザーの靴及び一部の脛は袋２によってしっかりと覆われてから足を座体１の空洞１１から出す。ユーザーは歩行する際に、被覆された袋２により、適切に外部からの雨と地面から跳ね返る水を遮断し、靴及びズボンの裾が雨で濡れる或いは地面の水溜りが跳ね返って濡れるのを防止することができる。目的地に到着すると、袋２を取り外すだけで、靴とズボンの裾は乾いたままである。
【００１７】
前記実施例は本考案の最良実施例の説明であり、本考案の範囲を制限するものではない。本考案の構想に基づく各種の修正や変更など、本考案と同じ効果が生まれる場合は、全て本考案の権利範囲とする。
【００１８】
本考案は袋、牽引構造、紐結び構造及び熱シール構造を設けた座体で靴の濡れ防止装置を構成する。靴及び一部の脛を覆うことで、靴が雨で濡れる及び雨水が跳ね返って濡れるのを防止できる目的に達する。
【符号の説明】
【００１９】
１  座体
１１  空洞
２  袋  
２１  伝動機構
３  牽引構造
４  紐結び構造
４１  紐
５  熱シール構造
５１  ホットメルト部品
５２  抵触サポート部品
６  制御ユニット
６１  スイッチボタン
Ａ  靴の濡れ防止装置
【図１】
0003192716.tif 000003
【図２】
0003192716.tif 000004
【図３】
0003192716.tif 000005
【図４】
0003192716.tif 000006
【図５】
0003192716.tif 000007
【図６】
0003192716.tif 000008